(57)【要約】      （修正有）【課題】高い気温下でエアコンのように冷風を吹出し、良好な温度降下の作用を達成でき、屋内外運動、旅行、山登り等の場面に適用できる氷冷空調コップを提供する。【解決手段】ボディー２と蓋１とを含み、蓋の内部はボディー内部と互いに連通する蓋空間を有し、蓋空間内にファン機構が取り付けられており、ファン機構の羽根１１はターボ吸風カバーに封止され、ターボ吸風カバーの下部に吸風口３０１が設けられており、ターボ吸風カバーの上部に送風口３０２が設けられており、蓋には、送風口に位置合わせされる出風口１０２が設けられており、蓋に入風口が更に設けられており、入風口と吸風口は導風ブラケットによって互いに連通し、導風ブラケットは蓋の下部に接続され、導風ブラケットには、ボディー内部と連通する導風孔４０１が開設されている。【選択図】図２
0003227565.tif 000002
【実用新案登録請求の範囲】
【請求項１】
ボディーと蓋とを含む氷冷空調コップにおいて、
前記蓋の内部は前記ボディー内部と互いに連通する蓋空間を有し、
前記蓋空間内にファン機構が取り付けられており、
前記ファン機構の羽根はターボ吸風カバーに封止され、
前記ターボ吸風カバーの下部に吸風口が設けられており、
前記ターボ吸風カバーの上部に送風口が設けられており、
前記蓋には、前記送風口に位置合わせされる出風口が設けられており、
前記蓋に入風口が更に設けられており、
前記入風口と前記吸風口は導風ブラケットによって互いに連通し、
前記導風ブラケットは前記蓋の下部に接続され、
前記導風ブラケットには、前記ボディー内部と連通する導風孔が開設されていることを特徴とする、
氷冷空調コップ。
【請求項２】
前記送風口と前記出風口との間には、上下に調節可能な導風グリルが設けられていることを特徴とする請求項１に記載の氷冷空調コップ。
【請求項３】
前記ターボ吸風カバーは、係合接続されるシール上カバーとシール下カバーを含み、前記シール下カバーの中部が下向きに延びて逆テーパー状の前記吸風口を形成し、前記シール上カバーと前記シール下カバーとの互いに係合する側の側部が側方向に外へ伸びて前記送風口を形成することを特徴とする請求項２に記載の氷冷空調コップ。
【請求項４】
前記導風グリルは、複数本の平行した導風口が開設されている円弧状プレートであり、前記シール上カバー及び前記シール下カバーは、それぞれ前記送風口の外部に上円弧状ボス及び下円弧状ボスが形成され、前記円弧状プレートの両端は、前記上円弧状ボス及び前記下円弧状ボスにそれぞれ貼合され相対的に摺動できることを特徴とする請求項３に記載の氷冷空調コップ。
【請求項５】
前記ファン機構は、前記羽根に駆動接続されるモータ電動機を含み、前記モータ電動機は前記ターボ吸風カバーの上方に装着され、前記ターボ吸風カバーの頂部には、前記羽根に駆動接続されるように前記モータ電動機の電動機軸が通過する電動機軸孔が開設されていることを特徴とする請求項１に記載の氷冷空調コップ。
【請求項６】
前記モータ電動機の頂部は制御回路板に接続され、前記制御回路板には、前記モータ電動機の開閉を制御するためのタクトスイッチが設けられており、前記蓋の頂部パネルには、前記タクトスイッチを押圧するための弾性ボタンが設けられていることを特徴とする請求項５に記載の氷冷空調コップ。
【請求項７】
前記ターボ吸風カバーの頂部が下向きに窪み、前記モータ電動機を収容するためのモータ収容部を形成することを特徴とする請求項５に記載の氷冷空調コップ。
【請求項８】
前記導風ブラケットは、シール仕切り板と前記シール仕切り板の下部に設けられている導風翼板とを含み、前記シール仕切り板は、前記蓋の底部の開口及び前記吸風口にシール接続され、前記シール仕切り板の中部には、前記吸風口と互いに連通する吸風孔が開設されており、前記導風翼板は、内部が中空で前記ボディー内部に伸びて入り込み、前記導風孔は前記導風翼板の底部に設けられ、前記シール仕切り板には、前記導風翼板の内部と互いに連通するブローホールが開設されていることを特徴とする請求項１に記載の氷冷空調コップ。
【請求項９】
前記シール仕切り板の上部辺縁に嵌装部が１回り設けられており、前記嵌装部は前記蓋の底部開口に嵌装され、前記ターボ吸風カバーの底部の前記吸風口は前記シール仕切り板に当接されていることを特徴とする請求項８に記載の氷冷空調コップ。
【請求項１０】
前記蓋の底部開口には、前記ボディーに接続するためのねじ山固定部が設けられており、前記嵌装部は前記ねじ山固定部の内側に嵌装されていることを特徴とする請求項９に記載の氷冷空調コップ。
【考案の詳細な説明】
【技術分野】
【０００１】
本考案は、コップ、特に氷冷空調コップに関する。
【背景技術】
【０００２】
コップは、一般的に、液体を容れる容器で、お茶、水、コーヒー、飲料等を飲むために用いられる。コップの種類は非常に多く、中でも、運動向けの温度降下用コップがある。このようなコップは、ランニングトレーニングの時に用いられ、ボディーは一般的にＰＣ材により製造され、一定の落下防止機能を備え、蓋の頂部にはノズルが設けられており、スイッチを押圧すると、ノズルから水の霧をスプレーし、人の体表皮温度を低下させる。
従来の運動向けの温度降下コップは、ノズルによって水の霧をスプレーし温度降下させることができるが、構造が煩雑で、追加のスプレー装置によって実現する必要があり、しかも、実際の操作中に、ノズルから誤噴射したり動かなくなりやすい。
【考案の概要】
【考案が解決しようとする課題】
【０００３】
本考案は、主に従来技術の欠点に対して、操作が簡単で温度降下の効果が良好な氷冷空調コップを提供することを目的とする。
【課題を解決するための手段】
【０００４】
本考案で採用する技術方案は、ボディーと蓋とを含む氷冷空調コップにおいて、前記蓋の内部は前記ボディー内部と互いに連通する蓋空間を有し、前記蓋空間内にファン機構が取り付けられており、前記ファン機構の羽根はターボ吸風カバーに封止され、前記ターボ吸風カバーの下部に吸風口が設けられており、前記ターボ吸風カバーの上部に送風口が設けられており、前記蓋には、前記送風口に位置合わせされる出風口が設けられており、前記蓋に入風口が更に設けられており、前記入風口と前記吸風口は導風ブラケットによって互いに連通し、前記導風ブラケットは前記蓋の下部に接続され、前記導風ブラケットには、前記ボディー内部と連通する導風孔が開設されている氷冷空調コップである。
本考案に係る氷冷空調コップの更なる改善は、前記送風口と前記出風口との間には、上下に調節可能な導風グリルが設けられていることにある。
本考案に係る氷冷空調コップの更なる改善は、前記ターボ吸風カバーは、係合接続されるシール上カバーとシール下カバーを含み、前記シール下カバーの中部が下向きに延びて逆テーパー状の前記吸風口を形成し、前記シール上カバーと前記シール下カバーとの互いに係合する側の側部が側方向に外へ伸びて前記送風口を形成することにある。
本考案に係る氷冷空調コップの更なる改善は、前記導風グリルは、複数本の平行した導風口が開設されている円弧状プレートであり、前記シール上カバー及び前記シール下カバーは、それぞれ前記送風口の外部に上円弧状ボス及び下円弧状ボスが形成され、前記円弧状プレートの両端は、前記上円弧状ボス及び前記下円弧状ボスにそれぞれ貼合され相対摺動できるように設けられていることにある。
本考案に係る氷冷空調コップの更なる改善は、前記ファン機構は、前記羽根に駆動接続されるモータ電動機を含み、前記モータ電動機は前記ターボ吸風カバーの上方に装着され、前記ターボ吸風カバーの頂部には、前記羽根に駆動接続されるように前記モータ電動機の電動機軸が通過する電動機軸孔が開設されていることにある。
本考案に係る氷冷空調コップの更なる改善は、前記モータ電動機の頂部は制御回路板に接続され、前記制御回路板には、前記モータ電動機の開閉を制御するためのタクトスイッチが設けられており、前記蓋の頂部パネルには、前記タクトスイッチを押圧するための弾性ボタンが設けられていることにある。
本考案に係る氷冷空調コップの更なる改善は、前記ターボ吸風カバーの頂部が下向きに窪み、前記モータ電動機を収容するためのモータ収容部を形成することにある。
本考案に係る氷冷空調コップの更なる改善は、前記導風ブラケットは、シール仕切り板と前記シール仕切り板の下部に設けられている導風翼板とを含み、前記シール仕切り板は、前記蓋の底部の開口及び前記吸風口にシール接続され、前記シール仕切り板の中部には、前記吸風口と互いに連通する吸風孔が開設されており、前記導風翼板は、内部が中空で前記ボディー内部に伸び込み、前記導風孔は前記導風翼板の底部に設けられ、前記シール仕切り板には、前記導風翼板の内部と互いに連通するブローホールが開設されていることにある。
本考案に係る氷冷空調コップの更なる改善は、前記シール仕切り板の上部辺縁に嵌装部が１回り設けられており、前記嵌装部は前記蓋の底部開口に嵌装され、前記ターボ吸風カバーの底部の前記吸風口は前記シール仕切り板に当接されていることにある。
本考案に係る氷冷空調コップの更なる改善は、前記蓋の底部開口には、前記ボディーに接続するためのねじ山固定部が設けられており、前記嵌装部は前記ねじ山固定部の内側に嵌装されていることにある。
【０００５】
本考案は、上述した技術方案を採用するので、氷冷空調コップ内のファン機構がオンされることにより、外部気流が蓋の入風口を通して導風ブラケットに入り、導風ブラケットの導風孔によってボディー内部に広がり、ボディー内部の気流が導風ブラケットの吸風孔を介してターボ吸風シールカバーに入り、最終的に蓋の出風口によって蓋の外部に導出できるという有益な効果を備える。ボディー内に冷水又は氷塊が入れられている場合に、ファン機構がオンされると、外部の熱風が入風口を通して導風孔に入り、氷水又は氷塊の表面に放出され、温度降下の効果を達成して、吸風孔から排出されることができ、高い気温下でエアコンのように冷風を吹出して、良好な温度降下の作用を達成でき、屋内外運動、旅行、山登り等の場面に適用できる。同様の原理により、ボディー内に入れられているのが熱水であれば、外部の冷空気が、入風口を通して導風孔に入り熱水の表面に放出され、温度向上の効果を達成できる。
【図面の簡単な説明】
【０００６】
【図１】本考案の実施例に係る氷冷空調コップの外部構造模式図である。
【図２】本考案の実施例に係る氷冷空調コップの内部構造の斜視断面模式図である。
【図３】本考案の実施例に係る氷冷空調コップの内部構造の平面断面模式図である。
【図４】本考案の実施例に係る氷冷空調コップの部品図である。
【図５】本考案の実施例に係る氷冷空調コップの作動原理の断面図である。
【図６】本考案の実施例に係る氷冷空調コップの作動原理の斜視図である。
【考案を実施するための形態】
【０００７】
以下、特定の具体的なケースによって本考案の実施形態を説明する。当業者は、本明細書に開示されている内容により本考案の他のメリットと効果を容易に理解することができる。本考案は、他の異なる具体的な実施形態で実施又は適用されてもよく、本明細書における細部について、異なる観点及び適用に基づいて、本考案の精神から離反することなく、種々の修飾又は変更を加えても良い。
【０００８】
以下、図面及び具体的な実施例によって、本考案をより詳細に説明する。
図１〜４に示すように、本考案の実施例は、円柱形のボディー２と蓋１とを含む氷冷空調コップにおいて、蓋１の内部はボディー２内部と互いに連通する蓋空間を有する。当該蓋空間内にはファン機構が取り付けられており、ファン機構は、羽根１１及び羽根を回転させるためのモータ電動機１２を有する。羽根１１はターボ吸風カバー３に封止され、当該ターボ吸風カバー３の下部に吸風口３０１が設けられており、当該ターボ吸風カバー３の上部に送風口３０２が設けられている。
蓋１には、送風口３０２に位置合わせされる出風口１０２が設けられており、蓋１に入風口１０１が更に設けられており、入風口１０１と吸風口３０１は導風ブラケット４によって互いに連通する。導風ブラケット４は蓋１の下部に接続され、蓋１がボディー２に接続されると、導風ブラケット４がボディー２の内部に入り込み、氷冷空調コップを提供する。当該導風ブラケット４の底部には、ボディー２内部と連通する導風孔４０１が更に開設されている。
ターボ吸風カバー３の送風口３０２と蓋１の出風口１０２との間には、上下に調節可能な導風グリル５が設けられている。ターボ吸風カバー３は、係合接続されるシール上カバー３１とシール下カバー３２を含み、シール下カバー３２の中部が下向きに延びて逆テーパー状の吸風口３０１を形成し、シール上カバー３１とシール下カバー３２との互いに係合する側の側部が側方向に外へ伸びて送風口３０２を形成する。当該導風グリル５は、複数本の平行した導風口が開設されている円弧状プレートであり、シール上カバー３１及びシール下カバー３２は、それぞれ送風口３０２の外部に、弧度が導風グリル５と一致している上円弧状ボス３１１及び下円弧状ボス３２１が形成される。導風グリル５の両端は、上円弧状ボス３１１及び下円弧状ボス３２１にそれぞれ貼合され相対摺動できるように設けられる。
蓋１は、シール上カバー３１とシール下カバー３２の外部に被装される。蓋１の一方側に出風口１０２が開設されており、導風グリル５の中部は、出風口１０２に収容されている。出風口１０２の上、下方の蓋１の内側は、上円弧状ボス３１１と下円弧状ボス３２１との間に、それぞれ導風グリル５の両端が摺動する空間が形成され、導風グリル５の両端は、両端空間内に挟まれ上下回転可能であり、上円弧状ボス３１１と下円弧状ボス３２１は、ガイド作用を発揮することができる。好ましくは、導風グリル５を回転しやすくするために、上円弧状ボス３１１及び下円弧状ボス３２１に、複数本の鉛直なガス溝を設けてもよい。導風グリル５の中部は、出風口１０２の外側にはみ出すことにより、人の手で動かしやすくなり、導風グリル５を上下に動かすことによって、その上導風口の方向を変更し、気流を導出する流向を変え、風向調節の作用を発揮することができる。
ファン機構のモータ電動機１２は、ターボ吸風カバーのシール上カバー３１の上方に装着される。シール上カバー３１の頂部の中間位置が更に下向きに窪み、モータ電動機１２を収容するためのモータ収容部３１２を形成し、モータ電動機１２は、モータ電動機１２の頂部とシール上カバー３１の頂部表面とが面一になるように、当該モータ収容部３１２に完全に収容される。当該モータ収容部３１２の底部にモータ軸孔が開設されており、モータ電動機１２の電動機軸は、当該モータ軸孔を通した後羽根１１の中心に接続され、羽根１１を回転させるために用いられる。羽根１１は、当該モータ収容部３１２の外部に覆設される。モータ電動機１２の頂部は、更にその電池１２１に接続される。モータ電動機１２の電池１２１は更に制御回路板１２２（ＰＣＢＡ回路板）に設けられる。当該制御回路板１２２には、モータ電動機の通電停電を制御するためのタクトスイッチ１２３が設けられている。蓋１の頂部パネルには、当該タクトスイッチ１２３の外形に対応して開孔し弾性ボタン１２４が設けられている。当該弾性ボタン１２４を軽く押圧し、タクトスイッチ１２３と接触させると、タクトスイッチ１２３によって、モータ電動機１２を起動し、羽根１１を回転させる。
【０００９】
図４、図５及び図６に示すように、導風ブラケット４は、シール仕切り板４１とシール仕切り板４１の下部に設けられている導風翼板４２とを含む。シール仕切り板４１は、蓋１の底部開口とターボ吸風カバーの底部の吸風口３０１にシール接続される。シール仕切り板４１の中部には、吸風口３０１と互いに連通する吸風孔４０２が開設されている。導風翼板４２は、内部が中空でボディー内部に延びる（ボディー内の内容物の表面と接触可能である）。導風孔４０１は導風翼板４２の底部に設けられる。シール仕切り板４１には、導風翼板４２の内部と互いに連通するブローホール４３が開設されている。
外部の気流は、蓋１における入風口１０１を通して導風ブラケット４に入り、ブローホール４３を通して導風翼板４２の内部に流れ込み、導風孔４０１によってボディー２内に放出され内容物（氷水又は氷塊）と接触する。温度が低下し、ファン機構の作用で放熱した冷気は、吸風孔４０２と吸風口３０１を上向きに順に通過してターボ吸風カバー内に入り、最終的にターボ吸風カバーの上部の排風口によって排出され、蓋における出風口１０２と導風グリル５を介して蓋の外部に排出されることにより、冷風を吹出し、早急に温度を低下させるという効果を達成する。
導風ブラケット４の下方には２つの導風翼板４２が設けられており、２つの導風翼板４２は、シール仕切り板４１の両側で辺縁の近くに対向して設けられる。導風孔４０１は、複数本のグリッド状に分布した鉛直なストライプ状の孔として設けられ、導風翼板４２の外側表面に設けられている。シール仕切り板４１には、それぞれ２つの導風翼板４２の内部と互いに連通する２つのブローホール４３が一対一で設けられており、これに対応して、蓋１の対向する両側の側壁には、それぞれ入風口１０１が設けられる。好ましくは、入風口１０１が蓋１の前後の両側に設けられる場合、出風口１０２が、蓋１の左右の両側に設けられてもよい。入風口１０１は、蓋１の側壁の相対的に下部にある位置に設けられてもよい。
さらに、導風ブラケット４のシール仕切り板４１の上部辺縁に嵌装部４４が１回り設けられている。当該嵌装部４４は蓋１の底部開口に嵌装される。ターボ吸風カバーの底部の吸風口３０１のエッジは、シール仕切り板４１の上面に緊密に貼合される。吸風孔４０２は、吸風口３０１のある領域に開設され、複数の吸風孔４０２がグリッド状に設けられてもよい。好ましくは、蓋１の底部開口には、ボディー２に接続するためのねじ山固定部１３が設けられており、導風ブラケット４の頂部の嵌装部４４は、ねじ山固定部１３の内側に嵌装される。ボディー２の頂部開口の内側には、当該ねじ山固定部１３と互いに結合接続されるねじが設けられている。
蓋１の外部には、氷冷空調コップの携帯をやすくするために、回転可能な取っ手６が更に設けられてもよい。
【００１０】
図４、図５及び図６を参照する。本考案に係る氷冷空調コップの作動原理は、次のようにまとめられる。
ボタンスイッチ（即ち、弾性ボタン１２４）をタッチすると、電動機（即ち、モータ電動機１２）と電池１２１電源が閉回路を形成し、電源は、電動機に電気エネルギーを供給し、電動機が回転して、羽根１１を回転するように連動させ、羽根１１付近の空気を出風口１０２によって外へ伝送し、連続した風を生成する。羽根１１付近の風が吹き出された後、圧力が低くなり、コップ内の冷空気が補充されて羽根１１付近に流れる。コップ内の空気が吸引されるにつれて、圧力が低くなり、外部の熱空気は、気圧がコップ内の気圧よりも大きいことによってコップ内に流れ込み、氷水の熱交換を介して気温が低下して冷空気になる。羽根が常に回転することによって、空気が全体にループとして流れ、気圧全体が動的に平衡し、出風口が常に外へ冷風を伝送するという効果を実現する。ボディーは、２層真空断熱構造で、長期間に亘りコップ内の温度を維持することができる。
本考案を採用する氷冷空調コップは、氷冷空調コップ内のファン機構がオンされることにより、外部気流が蓋における入風口を通して導風ブラケットに入り、導風ブラケットにおける導風孔によってボディー内部に広がり、ボディー内部の気流が導風ブラケットにおける吸風孔を介してターボ吸風シールカバーに入り、最終的に蓋における出風口によって蓋の外部に導出される。ボディー内に冷水又は氷塊が入れられている場合に、ファン機構がオンされると、外部の熱風は、入風口を通して導風孔に入り氷水又は氷塊の表面に放出され、温度降下の効果を達成し、吸風孔から排出されることができ、高い気温下でエアコンのように冷風を吹出して、良好な温度降下の作用を達成でき、屋内外運動、旅行、山登り等の場面に適用できる。同様の原理により、ボディー内に入れられているのが熱水であれば、外部の冷空気は、入風口を通して導風孔に入り熱水の表面に放出され、温度向上の効果を達成できる。
【００１１】
以上に述べたのは、本考案の好ましい実施例に過ぎず、本考案を形式で何ら制限するものではない。本考案について、好ましい実施例により上記のように開示したが、これらは、本考案を限定するためのものではない。当業者であれば、本考案の技術的思想から逸脱しない範囲において、開示された技術内容に若干の変更や修飾を加えて等価変形した等価の実施例とすることが可能である。本考案の技術的思想から逸脱しない内容である限り、本考案の技術の本質に基づいて以上の実施例に対してなされる簡単な修正、等価変形、修飾は、いずれも本考案の権利範囲に属する。
【図１】
0003227565.tif 000003
【図２】
0003227565.tif 000004
【図３】
0003227565.tif 000005
【図４】
0003227565.tif 000006
【図５】
0003227565.tif 000007
【図６】
0003227565.tif 000008